(57)【特許請求の範囲】
【請求項１】
複数の指針が指す数字の組み合わせを、経時的に変化させて、自装置を一意に識別するアドレスデータの表示を制御する表示制御手段と、
前記表示制御手段により表示制御されたアドレスデータを解読した他装置と接続制御する通信制御手段と、
を備えたことを特徴とする通信装置。
【請求項２】
前記表示制御手段は、前記複数の指針のうち、第１の指針を前記アドレスデータが表示中であることを示す所定数字の位置に、第２の指針を前記アドレスデータの桁を示す数字の位置に、第３の指針を前記アドレスデータの値が割り当てられた領域の位置に、それぞれ表示制御する、
ことを特徴とする請求項１に記載の通信装置。
【請求項３】
前記表示制御手段は、前記第１の指針を前記所定数字の位置に固定した状態で、前記第２の指針の位置を前記アドレスデータの桁を示す数字の位置に昇順で変化させると同時に、前記第３の指針の位置を該アドレスデータの桁の値が割り当てられた領域に変化させる、
ことを特徴とする請求項２に記載の通信装置。
【請求項４】
前記アドレスデータは、１２桁の１６進数であり、
前記１６進数の各値は、前記複数の指針の移動可能領域を１６等分した各領域それぞれに昇順で割り当てられる、
ことを特徴とする請求項３に記載の通信装置。
【請求項５】
前記通信制御手段は、
前記アドレスデータを解読した他装置から送信される接続要求を受信する受信手段と、
前記受信手段が受信した接続要求に応じて、前記他装置と接続を確立する接続確立手段と、
を備える、
ことを特徴とする請求項１乃至４の何れか一項に記載の通信装置。
【請求項６】
前記表示制御手段は、前記接続確立手段が前記他装置と接続を確立後、前記複数の指針が指す数字の組み合わせを、経時的に変化させて、該他装置とペアリングするためのペアリングキーの表示を制御する、
ことを特徴とする請求項５に記載の通信装置。
【請求項７】
前記通信制御手段は、
前記アドレスデータを解読した他装置から送信される接続要求を受信する受信手段と、
前記受信手段が受信した接続要求に応じて、前記他装置と接続を確立する接続確立手段と、
を備え、
前記表示制御手段は、前記接続確立手段が前記他装置と接続を確立後、前記複数の指針が指す数字の組み合わせを、経時的に変化させて、該他装置とペアリングするためのペアリングキーの表示を制御し、
前記ペアリングキーは、６桁の１０進数であり、
前記１０進数の各値は、前記複数の指針の移動可能領域を１０等分した各領域それぞれに昇順に割り当てられ、
前記表示制御手段は、前記複数の指針のうち、第１の指針を前記ペアリングキーが表示中であることを示す前記所定数字と異なる数字の位置に固定した状態で、第２の指針の位置を前記ペアリングキーの桁を示す数字の位置に昇順で変化させると同時に、第３の指針の位置を該ペアリングキーの桁の値が割り当てられた領域に変化させる、
ことを特徴とする請求項２乃至４の何れか一項に記載の通信装置。
【請求項８】
前記通信制御手段は、さらに、
前記ペアリングキーを取得した前記他装置との間でペアリングするペアリング手段を備える、
ことを特徴とする請求項６又は７に記載の通信装置。
【請求項９】
前記他装置は、Bluetooth(登録商標)による無線通信機能を備えた携帯端末であり、
前記アドレスデータは、Bluetoothのデバイスアドレスであり、
前記通信制御手段は、前記複数の指針を撮影して前記デバイスアドレスを読み取った前記携帯端末と接続する、
ことを特徴とする請求項１乃至８の何れか一項に記載の通信装置。
【請求項１０】
前記表示制御手段は、前記アドレスデータに加えて、センサによるセンシング結果が示す数値の表示制御を、前記複数の指針が指す数字の組み合わせを経時的に変化させて行う、
ことを特徴とする請求項１乃至９の何れか一項に記載の通信装置。
【請求項１１】
請求項１乃至１０の何れか一項に記載の通信装置を備えたことを特徴とする時計。
【請求項１２】
複数の指針が指す数字の組み合わせを、経時的に変化させて、自装置を一意に識別するアドレスデータの表示を制御する表示制御ステップと、
前記表示制御ステップにおいて表示制御されたアドレスデータを解読した他装置と接続制御する通信制御ステップと、
を備えたことを特徴とする通信方法。
【請求項１３】
時計の文字盤を撮影する撮影ステップと、
前記撮影ステップにおいて撮影した文字盤上の複数の指針が指す数字の組み合わせの経時的変化に基づき、前記時計を一意に識別するアドレスデータを解読して取得する取得ステップと、
前記取得ステップにおいて取得した前記アドレスデータの時計と接続する接続ステップと、
を備えたことを特徴とする通信方法。
【発明の詳細な説明】
【技術分野】
【０００１】
本発明は、通信装置、時計及び通信方法に関する。
【背景技術】
【０００２】
従来から、Bluetooth（登録商標）によって双方向の近距離無線通信が行われている。
例えば、特許文献１には、Bluetoothによる双方向通信を開始するために、ＮＦＣ（Near Field Communication）による非接触ＩＣ（Integrated Circuit)を利用して、Bluetoothのペアリングに必要な情報を交換する技術が開示されている。
【０００３】
また、近時、Bluetoothで時計とスマートフォンを接続して、両機器を連動させた利便性の高い機能（例えば、電話やメールの着信を時計に通知するなど）をユーザに提供することが行われている。
【先行技術文献】
【特許文献】
【０００４】
【特許文献１】特開２００９−６０５２６号公報
【発明の概要】
【発明が解決しようとする課題】
【０００５】
ところで、Bluetoothにより特定の相手と一対一で通信するには、その相手方を一意に識別するＢＤ（Bluetooth Device）アドレスを知らなければならない。例えば、スマートフォンなどの携帯端末は、接続先の時計のＢＤアドレスを接続前に特定する必要がある。
【０００６】
この場合、時計が自装置のＢＤアドレスを含むパケットを間欠的にブロードキャストすることが考えられるが、通信環境の影響（例えば、機器間の距離や外来ノイズなど）により携帯端末がパケットを受信できない場合がある。一方、携帯端末がパケットを受信できたとしても、他の時計からのパケットを同時に複数受信した場合、ユーザが接続先の時計の選択を間違うおそれもある。
【０００７】
さらに、上記特許文献１の技術は、非接触ＩＣによりＢＤアドレスなどの情報を交換するので、時計などのウェアラブルな小型装置にとっては非接触ＩＣの搭載スペースに難がある。
【０００８】
このようなことから、搭載スペースの制約なく、通信環境やユーザ操作に依らずに、簡易かつ確実に接続対象の装置と接続することが望まれている。
【０００９】
そこで、本発明は、上述した事情に鑑みてなされたものであり、簡易かつ確実に接続対象の装置と接続する通信装置等を提供することを目的とする。
【課題を解決するための手段】
【００１０】
上記目的を達成するため、本発明の通信装置は、
複数の指針が指す数字の組み合わせを、経時的に変化させて、自装置を一意に識別するアドレスデータの表示を制御する表示制御手段と、
前記表示制御手段により表示制御されたアドレスデータを解読した他装置と接続制御する通信制御手段と、
を備えたことを特徴とする。
【発明の効果】
【００１１】
本発明によれば、簡易かつ確実に接続対象の装置と接続することができる。
【図面の簡単な説明】
【００１２】
【図１】実施形態に係る携帯端末と時計の外観を示す図である。
【図２】実施形態に係る携帯端末の背面の外観を示す図である。
【図３】実施形態に係る時計の構成を示すブロック図である。
【図４】（ａ）〜（ｌ）は、時計のアドレスデータの表示例を順に示した図である。
【図５】（ａ）〜（ｆ）は、ペアリングキーの表示例を順に示した図である。
【図６】実施形態に係る携帯端末の構成を示すブロック図である。
【図７】変換テーブル１の例を示す図である。
【図８】変換テーブル２の例を示す図である。
【図９】時計の表示制御処理のフローチャートを示す図である。
【図１０】携帯端末のペアリング処理のフローチャートを示す図である。
【図１１】携帯端末と時計との間のペアリングに係るシーケンス図である。
【発明を実施するための形態】
【００１３】
以下、本発明の実施形態について図面を参照して説明する。
図１は、本発明の実施形態に係る携帯端末と時計の外観を示す図である。
【００１４】
携帯端末１０は、Bluetoothによる近距離無線通信が可能なスマートフォンである。携帯端末１０は、液晶の表示部１１と、決定入力を行うボタンである操作部１２と、を備える。
【００１５】
一方、時計２０は、Bluetoothによる近距離無線通信が可能なアナログの腕時計である。時計２０は、文字盤２１上に分針（第１の指針）２２、秒針（第２の指針）２３、時針（第３の指針）２４の３つの指針と、手動による時刻合わせに用いるリューズ２５と、モード切替用のプッシュ式のボタン２６と、を備える。時計２０は、モードとして、時刻を表示する通常モードと、Bluetoothで通信相手とペアリング（相互機器認証）を行うためのペアリングモードと、を備える。モード切替の手法は任意だが、例えば、ユーザがボタン２６を所定時間（例えば、２秒）押下して、通常モードからペアリングモードに切り替えればよい。
【００１６】
これら携帯端末１０と時計２０は、ペアリング後に双方向のデータ通信を行ってユーザに利便性の高い機能を提供する。例えば、携帯端末１０は電話やメールの着信があったことをデータ通信により時計２０に通知したり、時計２０は正確な時刻情報を携帯端末１０から受信して時刻補正をしたりする。
【００１７】
このデータ通信に先だって、携帯端末１０は、接続先となる時計２０を一意に識別するアドレス（ＢＤアドレスやデバイスアドレスとも言う）を取得して時計２０と接続する。接続後、携帯端末１０は、ペアリングキーを時計２０から取得して時計２０との間でペアリングを行う。その後、データ通信が可能となる。
【００１８】
本発明では、これらアドレスとペアリングキーを時計２０の複数の指針を利用して表示し、携帯端末１０は図２に示す背面のカメラ１３で文字盤２１を撮影することでアドレスとペアリングキーを読み取って取得する。これら表示と読み取りの詳細については後述する。なお、ペアリングキーとは、機器認証に必要な認証番号（ＰＩＮコード）である。また、携帯端末１０と時計２０とは、低消費電力を目的として策定されたBluetoothの規格であるＢＬＥ（Bluetooth Low Energy）により通信するものとする。
【００１９】
以上、携帯端末１０と時計２０の概要について説明したが、以下では具体的な構成について順に説明する。図３は時計２０の構成を示すブロック図である。
図中示すように、時計２０は、複数の指針（分針２２、秒針２３、時針２４）と、リューズ２５と、ボタン２６と、スピーカ２７と、通信装置２００と、を備える。なお、リューズ２５とボタン２６は、上述したので説明を省略する。
【００２０】
分針（第１の指針）２２は、長針であって、文字盤２１上で時間の分を指す指針である。秒針（第２の指針）２３は、文字盤２１上で時間の秒を指す指針である。時針（第３の指針）２４は、短針であって、文字盤２１上で何時かを指す指針である。これら複数の指針はそれぞれ独立して制御可能である。すなわち、動力が各指針に独立して伝わるように、駆動源たるステッピングモータと複数のギアからなる輪列とが指針毎に独立して構成されている。
【００２１】
スピーカ２７は、音声を外部出力する音声出力部である。例えば、スピーカ２７は、モード切替時やペアリング完了時などに所定のビープ音を報知する。
通信装置２００は、制御部２１０と、近距離無線通信部２１６と、を備える。
この通信装置２００は、上記アドレスとペアリングキーの表示制御と、携帯端末１０との接続制御と、を行う通信モジュールである。この実施形態では、時計２０に通信装置２００が組み込まれて内蔵される場合を例にとって説明する。
【００２２】
制御部２１０は、ＣＰＵ（Central Processing Unit）、ＲＯＭ（Read Only Memory)、ＲＡＭ（Random Access Memory）などによって構成される。制御部２１０は、ＲＯＭに記憶されたプログラム（例えば、後述する表示制御処理に係るプログラム）を実行することにより、各部（表示制御部２１１、通信制御部２１２）の機能を実現する。
【００２３】
近距離無線通信部２１６は、Bluetoothに基づく近距離無線通信のための回路ブロック（ＢＬＥのＬＳＩ（Large Scale Integration））やアンテナなどから構成される。この近距離無線通信部２１６を構成するＬＳＩは、制御部２１０からのペアリングキー取得要求に応じて、ペアリングキーを制御部２１０に供給する。
【００２４】
次に、制御部２１０の機能について説明する。
制御部２１０は、機能として、表示制御部２１１と、通信制御部２１２と、を備える。
【００２５】
表示制御部２１１は、複数の指針が指す数字の組み合わせを、経時的に変化させて、自装置を一意に識別するアドレスデータの表示を制御する。具体的には、表示制御部２１１は、文字盤２１上の複数の指針（分針２２、秒針２３、時針２４）が指す数字の組み合わせを、経時的に変化させて、自装置を一意に識別するアドレスをその文字盤２１上に表示する。なお、アドレスとは、アドレスデータに基づいて文字盤２１に表示される数字・文字（特に、アルファベット）の組み合わせである。アドレスデータとアドレスは実質的に同義であるから、以下では「アドレスデータ」に統一して説明することにする。
【００２６】
表示制御部２１１は、複数の指針のうち、分針２２をアドレスデータが表示中であることを示す所定数字の位置に、秒針２３をアドレスデータの桁を示す数字の位置に、時針２４をアドレスデータの値が割り当てられた領域の位置に、それぞれ制御する。つまり、分針２２はアドレスデータ表示中かペアリングキーを表示中かを、秒針２３はアドレスデータの桁を、時針２４はアドレスデータの値を、それぞれ示す。
【００２７】
ここで、図４を参照しつつ、アドレスデータの表示例について説明する。なお、アドレスデータは１２桁の１６進数であり、一例として、０ｘ：Ｂ３７ＥＡ５３ＦＢ２６Ｄであるものとする。頭書きの０ｘは、１６進数であることを示す。また、図中点線で示すように、１６進数の各値（斜字で示す０〜Ｆ）は、文字盤２１の一周を１６等分した各領域それぞれに昇順で割り当てられる。換言すれば、１６進数の各値は、複数の指針の移動可能領域を１６等分した各領域それぞれに昇順で割り当てられる。なお、図４で示した点線の各領域と１６進数の各値は、説明の便宜上表示するものであって、実際文字盤２１上に表示する必要はない。
【００２８】
表示制御部２１１は、まず、分針２２をアドレスデータ表示中であることを示す所定数字（１２時）に固定する。この状態のまま、表示制御部２１１は、秒針２３と時針２４とを、（ａ）〜（ｌ）に示すように経時的に変化させる。すなわち、秒針２３の位置をアドレスデータの桁を示す数字の位置に昇順（１桁から１２桁）で変化させると同時に、時針２４の位置をそのアドレスデータの桁の値が割り当てられた領域に変化させる。
【００２９】
具体的には、表示制御部２１１は、秒針２３が「１」を指す時点で時針２４をアドレスデータの１桁の値「Ｂ」が割り当てられた領域に変化させ（図４（ａ）参照）、秒針２３が「１」から「２」に３０度動く間に時針２４をアドレスデータの２桁目の値「３」が割り当てられた領域に変化させ（図４（ｂ）参照）、続いて、秒針２３が「２」から「３」に３０度動く間に時針２４をアドレスデータの３桁目の値「７」が割り当てられた領域に変化させる（図４（ｃ）参照）。
【００３０】
こういった具合に、表示制御部２１１は、秒針２３の位置による桁の変化（１→２→３→４→５→６→７→８→９→１０→１１→１２）に合わせて、時針２４の位置による値を変化（Ｂ→３→７→Ｅ→Ａ→５→３→Ｆ→Ｂ→２→６→Ｄ）させて、１２桁の１６進数のアドレスデータを文字盤２１上に表示する（図４（ａ）〜（ｌ）参照）。
【００３１】
なお、秒針２３は時計回りで３０度ずつ数字を順に指していけばよいが、時針２４は秒針２３が３０度進む間にアドレスデータの値の領域まで回転移動しなければならない。このため、表示制御部２１１は、秒針２３が桁の数字を指す時点において、時針２４がその桁の値の領域にくるように、秒針２３と時針２４との速度制御を行う。例えば、表示制御部２１１は、秒針２３を遅くする一方で時針２４を早くしてアドレスデータの桁と値との表示タイミングを合わせるように速度制御する。
【００３２】
さて、次に、図５を参照しつつ、ペアリングのためのペアリングキーの表示例について説明する。このペアリングキーの表示は、図４（ａ）〜（ｌ）のアドレスデータ表示によりアドレスデータを解読して読み取った携帯端末１０との間で接続確立した後に行う。なお、ペアリングキーは６桁の１０進数であり、一例として、７３８０２５であるものとする。また、図中点線で示すように、１０進数の各値（斜字で示す０〜９）は、文字盤２１の一周を１０等分した各領域それぞれに昇順で割り当てられる。換言すれば、１０進数の各値は、複数の指針の移動可能領域を１０等分した各領域それぞれに昇順に割り当てられる。なお、図５で示した点線の各領域と１０進数の各値は、説明の便宜上表示するものであって、実際文字盤２１上に表示する必要はない。
【００３３】
表示制御部２１１は、まず、分針２２をペアリングキーが表示中であることを示す所定数字と異なる数字（６時）に固定する。この状態のまま、表示制御部２１１は、秒針２３と時針２４とを、（ａ）〜（ｆ）に示すように経時的に変化させる。すなわち、秒針２３の位置をペアリングキーの桁を示す数字の位置に昇順（１桁から６桁）で変化させると同時に、時針２４の位置をそのペアリングキーの桁の値が割り当てられた領域に変化させる。
【００３４】
具体的には、表示制御部２１１は、秒針２３が「１」を指す時点で時針２４をペアリングキーの１桁目の値「７」が割り当てられた領域に変化させ（図５（ａ）参照）、秒針２３が「１」から「２」に３０度動く間に時針２４をペアリングキーの２桁目の値「３」が割り当てられた領域に変化させ（図５（ｂ）参照）、続いて、秒針２３が「２」から「３」に３０度動く間に時針２４をペアリングキーの３桁目の値「８」が割り当てられた領域に変化させる（図５（ｃ）参照）。
【００３５】
こういった具合に、表示制御部２１１は、秒針２３の位置による桁の変化（１→２→３→４→５→６）に合わせて、時針２４の位置による値を変化（７→３→８→０→２→５）させて、６桁の１０進数のペアリングキーを文字盤２１上に表示する（図５（ａ）〜（ｆ）参照）。
【００３６】
さて、図３に戻って、通信制御部２１２は、表示制御部２１１により表示制御されたアドレスデータを解読した携帯端末１０と接続制御する。携帯端末１０は、文字盤２１を撮影することでアドレス（アドレスデータが示す数字・文字の組み合わせ）を読み取って取得する。このため、通信制御部２１２は、表示制御部２１１が表示したアドレスデータを読み取って取得した携帯端末１０との接続を制御するとも言える。この通信制御部２１２は、接続要求受信部２１３と、接続確立部２１４と、ペアリング部２１５と、を備える。
【００３７】
接続要求受信部２１３は、アドレスデータを解読した携帯端末１０から送信される接続要求を受信する。
接続確立部２１４は、接続要求受信部２１３が受信した接続要求に応じて、携帯端末１０と接続を確立する。
ペアリング部２１５は、ペアリングキーを取得した携帯端末１０との間でペアリングする。具体的には、ペアリング部２１５は、共通のペアリングキーにより携帯端末１０との間で相互認証を行ってペアリングする。
【００３８】
以上、時計２０の構成について図３乃至図５を参照して説明した。以下では、携帯端末１０の構成について説明する。
【００３９】
携帯端末１０は、図６に示すように、表示部１１、操作部１２、カメラ１３、記憶部１４、制御部１５、近距離無線通信部１６、無線通信部１７、スピーカ１８を備える。
【００４０】
表示部１１は、例えば、ＬＣＤ(Liquid Crystal Display)、ＥＬ(Electro Luminescence)ディスプレイなどによって構成される端末画面である。ペアリングモードにおいて、この表示部２２には、ユーザがカメラ１３で撮影した文字盤２１が表示される。
操作部１２は、表示部２２の上面に配置され、ユーザの操作内容を入力するために用いられるタッチパネルや決定入力のためのボタンなどである。
カメラ１３は、ＣＣＤ(Charge Coupled Device)やＣＭＯＳ(Complementary Metal Oxide Semiconductor)などの撮像素子と、オートフォーカスレンズなどの光学系と、を備えた撮像モジュールである。
【００４１】
記憶部１４は、スマートフォンにおける数Ｇバイトの内部ストレージであって、内蔵フラッシュメモリなどで構成される。この記憶部１４は、スマートフォンの各種アプリケーションのプログラムや撮影された写真・動画（特に、文字盤２１を撮影した動画）などを記憶する。
【００４２】
各種アプリケーションとしては、特に、アドレスデータとペアリングキーを解読して読み取って時計２０とペアリングするためのアプリケーションプログラムを記憶する。このプログラムは、事前にユーザがペアリング用のアプリケーションを携帯端末１０にインストールしておくことで記憶部１４に記憶される。このアプリケーションのインストールにより、記憶部１４は、撮影した動画の解析に必要な図７及び図８に示す変換テーブル１、２を記憶する。これら変換テーブル１、２については後述する。なお、このアプリケーションは、時計２０とのペアリングに限らず、複数の指針によりアドレスデータ表示する時計であればペアリング可能な汎用的なアプリケーションである。
【００４３】
制御部１５は、ＣＰＵ、ＲＡＭなどによって構成される。制御部１５は、記憶部１４に記憶されたプログラム（例えば、後述するペアリング処理に係るプログラム）を実行することにより、各部（撮影部１５１、アドレス取得部１５２、通信制御部１５３）の機能を実現する。
【００４４】
近距離無線通信部１６は、Bluetoothに基づく近距離無線通信のための回路ブロック（ＢＬＥのＬＳＩ）やアンテナなどから構成される。
無線通信部１７は、ＷｉＦｉ(Wireless Fidelity)や４Ｇ(4th Generation)に基づく無線通信のための回路ブロックやアンテナなどから構成される。通信制御部１５３は、無線通信部１７を介して、インターネット接続することができる。
スピーカ１８は、音声を外部出力する音声出力部である。
【００４５】
次に、制御部１５の機能について説明する。
制御部１５は、機能として、撮影部１５１、アドレス取得部１５２、通信制御部１５３、を備える。
【００４６】
撮影部１５１は、カメラ１３を制御して時計２０の文字盤２１を撮影する。具体的には、撮影部１５１は、ユーザがカメラ１３を文字盤２１に向けると、自動でフォーカス調整を行って、表示部１１に撮影中の文字盤２１のライブ画像を出力する。この際、撮影中のライブ画像に文字盤２１全体が写ってない場合や文字盤２１が表示部１１中央からずれている場合はスピーカ１８によりユーザに「表示画面に文字盤２１全体が表示されるようにして下さい。」「表示画面中央に文字盤２１が表示されるようにして下さい。」等、音声で指示するとよい。
【００４７】
次に、アドレス取得部１５２は、撮影部１５１が撮影した文字盤２１上の複数の指針が指す数字の組み合わせの経時的変化に基づき、時計２０を一意に識別するアドレスデータを解読して取得する。また、アドレス取得部１５２は、同様の要領で、時計２０とのペアリングのためのペアリングキーを取得する。
【００４８】
さて、ここで、図７の変換テーブル１と図８の変換テーブル２を参照しながら、アドレス取得部１５２が行うアドレスデータとペアリングキーの読み取りについて説明する。これらアドレスデータとペアリングキーは、ユーザによって撮影された動画を解析することで取得される。動画の撮影時間はアドレスデータ表示とペアリングキー表示が始まってから終了するまでの時間にじゃっかんの余裕を持たせた時間とする。
【００４９】
例えば、アドレスデータ表示の場合、秒針２３が文字盤２１を１周する、すなわちアドレスデータの桁である１２桁全てを秒針２３が指し終わった時間にマージンを持たせた時間にするとよい。一方、ペアリングキー表示の場合、秒針２３が文字盤２１を半周する、すなわちペアリングキーの桁である６桁全てを秒針２３が指し終わった時間にマージンを持たせた時間にするとよい。
【００５０】
まず、文字盤２１に表示されたアドレスデータの読み取りの場合、アドレス取得部１５２は、撮影された動画（図４（ａ）〜（ｌ）が写る動画）について、分針２２が指す数字が「１２」で固定されているかを確認しつつ、秒針２３が桁の数字を指すタイミングで時針２４が指す角度（１２時方向を０度として時計回りの角度）を測定する。そして、アドレス取得部１５２は、測定した角度を変換テーブル１で変換して１６進数の値を取得する。
【００５１】
例えば、図４（ａ）では、アドレス取得部１５２は、秒針２３が１桁の数字「１」を指すタイミングで測定した時針２４の指す角度が２４７．５°〜２７０°なので、変換テーブル１により１６進数の値「Ｂ」を取得する。この処理を桁毎に繰り返して、１２桁の数値全てを埋めてアドレスデータを取得する。
【００５２】
一方、文字盤２１に表示されたペアリングキーの読み取りの場合、アドレス取得部１５２は、撮影された動画（図５（ａ）〜（ｆ）が写る動画）について、分針２２が指す数字が「６」で固定されているかを確認しつつ、秒針２３が桁の数字を指すタイミングで時針２４が指す角度を測定する。そして、アドレス取得部１５２は、測定した角度を変換テーブル２で変換して１０進数の値を取得する。
【００５３】
例えば、図５（ａ）では、アドレス取得部１５２は、秒針２３が１桁の数字「１」を指すタイミングで測定した時針２４の指す角度が２５２°〜２８８°なので、変換テーブル２により１０進数の値「７」を取得する。この処理を桁毎に繰り返して、６桁の数値全てを埋めてペアリングキーを取得する。
【００５４】
このようにアドレス取得部１５２は、変換テーブル１及び２を用いて、時針２４の指す角度変換を行い、領域に割り当てられた値を読み取って、アドレスデータとペアリングキーを取得する。
【００５５】
さて、図６に戻って、通信制御部１５３は、接続要求送信部１５４と、接続確立部１５５と、ペアリング部１５６と、を備える。
接続要求送信部１５４は、アドレス取得部１５２がアドレスデータを取得すると、そのアドレスデータの時計２０に接続要求を送信する。
接続確立部１５５は、接続要求を受信した時計２０との間で接続を確立する。
ペアリング部１５６は、アドレス取得部１５２が取得した共通のペアリングキーにより時計２０と相互認証を行って、時計２０との間でペアリングを行う。ペアリング後、携帯端末１０は時計２０との間でデータ通信を行う。
【００５６】
以上、携帯端末１０の構成について、図６乃至図８を参照しながら説明した。以下では、図９を参照しながら時計２０の表示制御処理について説明する。
この表示制御処理は、時計２０を通常モードからペアリングモードに切り替えることを契機として開始される。
【００５７】
まず、表示制御部２１１は、分針２２を所定数字に固定する（ステップＳ１１）。具体的には、表示制御部２１１は、分針２２をアドレスデータが表示中であることを示す「１２」時の位置に固定する（図４（ａ）参照）。
【００５８】
次に、表示制御部２１１は、時針２４と秒針２３によるアドレスデータ表示を行う（ステップＳ１２）。具体的には、表示制御部２１１は、分針２２を「１２」時の位置に固定したまま、秒針２３が「１」を指す時点で時針２４をアドレスデータの１桁の値「Ｂ」が割り当てられた領域に変化させる（図４（ａ）参照）。
【００５９】
次に、通信制御部２１２は、アドバタイズメントの送信を行う（ステップＳ１３）。Bluetoothの通信規格上、接続要求の送信はアドバタイズメントを受信（スキャン）したことに応じて行われる。すなわち、この実施形態において、携帯端末１０は、動画解析によりアドレスデータ取得後、アドバタイズメントを受信したことに応じて、接続要求を送信する。このため、時計２０の通信制御部２１２は、間欠的に（例えば、０．３秒間隔）でアドバタイズメントを送信しておく。
【００６０】
次に、接続確立部２１４は、携帯端末１０と接続確立したか否か判定する（ステップＳ１４）。具体的には、接続確立部２１４は、携帯端末１０からの接続要求を受信して接続確立した後に、近距離無線通信部２１６を構成するＢＬＥのＬＳＩから接続確立完了の通知があったか否かにより上記判定を行う。
【００６１】
ここで、携帯端末１０と接続確立していない場合（ステップＳ１４；Ｎｏ）、規定時間が経過したか否か判定する（ステップＳ１５）。この規定時間は、携帯端末１０による動画（アドレスデータ表示中の文字盤２１を撮影した動画）の撮影時間よりも長い時間とする。携帯端末１０は動画撮影後に動画解析によりアドレスデータを取得後に接続要求をするため、規定時間が撮影時間よりも短いと接続確立できないからである。このため、規定時間は少なくとも秒針２３が文字盤２１上を一周する時間以上、すなわち秒針２３が１２桁のアドレスデータを全て指し終わる時間以上となる。
【００６２】
この規定時間が経過するまで（ステップＳ１５；Ｎｏ）、アドバタイズメントを間欠的に送信しつつ、かつ、携帯端末１０と接続確立したか否かモニタリングしながら、時針２４と秒針２３によるアドレスデータ表示を継続する（ステップＳ１２乃至１５のループ）。
【００６３】
ここで、秒針２３が１２桁のアドレスデータ全てを指し終わった後（図４（ａ）〜（ｌ）参照）、携帯端末１０と接続確立せずに（ステップＳ１４；Ｎｏ）、規定時間が経過した場合（ステップＳ１５；Ｙｅｓ）、通信制御部２１２は、アドバイタズの送信を停止する（ステップＳ１６）。同時に、表示制御部２１１は、アドレスデータ表示を停止する（ステップＳ１７）。これらステップＳ１６及びステップＳ１７の処理は、動画がぶれるなどの理由により動画解析に失敗して携帯端末１０がアドレスデータを取得できずに規定時間が経過してしまった場合に行われる。
【００６４】
そして、表示制御部２１１は、通常の時刻表示に復帰させる（ステップＳ１８）。具体的には、表示制御部２１１は、ペアリングモードから通常モードに切り替え、正確な時刻情報をリアルタイムで保持するＲＴＣ（Real Time Clock)から時刻情報を読み出して、通常の時刻表示に復帰させる。その後、表示制御処理を終了（この場合は接続エラーによる終了を）する。
【００６５】
一方、秒針２３が１２桁のアドレスデータを全て指し終わった後（図４（ａ）〜（ｌ）参照）、規定時間が経過するまでに携帯端末１０と接続確立した場合（ステップＳ１４；Ｙｅｓ）、表示制御部２１１は、ペアリングキー表示に遷移する。なお、ペアリングキー表示に先立って、制御部２１０は、近距離無線通信部２１６にペアリングキー取得要求を行い、ペアリングキーを近距離無線通信部２１６から取得しておく。
【００６６】
ペアリングキー表示に遷移すると、表示制御部２１１は、分針２２を所定数字と異なる数字に固定し（ステップＳ１９）、時針２４と秒針２３によるペアリングキー表示をする（ステップＳ２０）。
【００６７】
具体的には、表示制御部２１１は、分針２２をペアリングキーが表示中であることを示す「６」時の位置に固定した後、秒針２３が「１」を指す時点で時針２４をペアリングキーの１桁の値「７」が割り当てられた領域に変化させる（図５（ａ）参照）。
【００６８】
次に、ペアリング部２１５は、携帯端末１０とペアリング完了したか否か判定する（ステップＳ２１）。具体的には、ペアリング部２１５は、携帯端末１０がペアリングキーを取得したことをトリガとして、共通のペアリングキーによる相互認証を行ったか否かで、上記判定を行う。
【００６９】
ペアリングが完了していない場合（ステップＳ２１；Ｎｏ）、表示制御部２１１は、規定時間が経過したか否か判定する（ステップＳ２２）。表示制御部２１１は、規定時間が経過していない場合（ステップＳ２２；Ｎｏ）、規定時間が経過するまでの間、時針２４と秒針２３によるペアリングキーの表示を継続するとともに（図５（ａ）〜（ｆ）参照）、携帯端末１０とペアリング完了したか否か判定する（ステップＳ２０乃至Ｓ２２のループ）。
【００７０】
ステップＳ２２の規定時間は、携帯端末１０による動画（ペアリングキー表示中の文字盤２１を撮影した動画）の撮影時間よりも長い時間とする。これにより、規定時間は少なくとも秒針２３が文字盤２１上を半周する時間以上、すなわち秒針２３が６桁のペアリングキーを全て指し終わる時間以上となる。
【００７１】
ここで、秒針２３が６桁のペアリングキー全てを指し終わった後（図５（ａ）〜（ｆ）参照）、携帯端末１０とペアリング完了せずに（ステップＳ２１；Ｎｏ）、規定時間が経過した場合（ステップＳ２２；Ｙｅｓ）、表示制御部２１１は、ペアリングキー表示を停止する（ステップＳ２３）。すなわち、アドレスデータ取得のときと同様、動画がぶれるなどして携帯端末１０がペアリングキーを取得できずに規定時間が経過してしまった場合、表示制御部２１１は、ペアリングキー表示を停止する。
【００７２】
そして、表示制御部２１１は、文字盤２１を通常の時刻表示に復帰させ（ステップＳ１８）、表示制御処理を終了（この場合はペアリングエラーによる終了を）する。
【００７３】
一方、秒針２３が６桁のペアリングキー全てを指し終わった後（図５（ａ）〜（ｆ）参照）、規定時間が経過するまでに携帯端末１０とペアリング完了した場合（ステップＳ２１；Ｙｅｓ）、表示制御処理を終了（この場合はペアリング成功による正常終了を）する。
【００７４】
以上が時計２０による表示制御処理である。次に、携帯端末１０によるペアリング処理について図１０を参照しながら説明する。このペアリング処理は、携帯端末１０のユーザがペアリング用のアプリケーションを起動して、携帯端末１０をペアリングモードにしたことを契機として開始される。
【００７５】
まず、撮影部１５１は、カメラ１３で時計２０の文字盤２１を撮影するように指示する（ステップＳ３１）。具体的には、撮影部１５１は、表示部１１の表示画面に時計２０の文字盤２１全体が表示されるように、「表示画面に文字盤２１全体が表示されるようにして下さい。」等、音声又は文字でユーザに指示をする。同時に、撮影部１５１は、アドレスデータを取得するのに必要な時間継続して動画を撮影するよう音声又は文字でユーザに指示をする。
【００７６】
次に、アドレス取得部１５２は、アドレスデータを取得したか否か判定する（ステップＳ３２）。具体的には、アドレス取得部１５２は、上述した要領で、図７の変換テーブル１を用い、ステップＳ３１の撮影で得られた動画を解析してアドレスデータの読み取りを試みる。
【００７７】
ここで、アドレスデータの取得ができなかった場合（ステップＳ３２；Ｎｏ）、すなわち撮影した動画の文字盤２１がぶれる等によりアドレスデータを読み取れなかった場合、ステップＳ３１に戻って、撮影部１５１は、再度、カメラ１３で文字盤２１を撮影するように指示する。時計２０は規定時間が経過するまでアドレスデータ表示を継続しているので、この規定時間を長くすることにより（例えば、規定時間を動画撮影時間の２倍にすることにより）、ユーザは再度文字盤２１の撮影を行ってアドレスデータ取得のリトライをすることができる。
【００７８】
一方、アドレス取得部１５２がアドレスデータを取得した場合（ステップＳ３２；Ｙｅｓ）、通信制御部１５３は、取得したアドレスデータの時計２０と接続処理を行う（ステップＳ３３）。具体的には、時計２０から送信されたアドバタイズメントを受信後、接続要求送信部１５４が時計２０に接続要求を送信し、接続確立部１５５が時計２０と接続を確立する。
【００７９】
時計２０と接続確立後、撮影部１５１は、カメラ１３で時計２０の文字盤２１を撮影するように指示する（ステップＳ３４）。撮影部１５１は、音声又は文字でペアリングキーを取得するのに必要な時間継続して動画を撮影するよう指示をする。
【００８０】
次に、アドレス取得部１５２は、ペアリングキーを取得したか否か判定する（ステップＳ３５）。具体的には、アドレス取得部１５２は、上述した要領で、図８の変換テーブル２を用い、ステップＳ３４の撮影で得られた動画を解析してペアリングキーの読み取りを試みる。
【００８１】
ここで、ペアリングキーの取得ができなかった場合（ステップＳ３５；Ｎｏ）、ステップＳ３４に戻って、撮影部１５１はユーザにリトライを促す。
一方、アドレス取得部１５２がペアリングキーを取得した場合（ステップＳ３５；Ｙｅｓ）、ペアリング部１５６は、取得したペアリングキーにより時計２０とペアリングをする（ステップＳ３６）。具体的には、ペアリング部１５６は、共通のペアリングキーにより時計２０と相互認証を行ってペアリングを行う。その後、ペアリング処理を終了する。
【００８２】
次に、図１１を参照しながら、携帯端末１０と時計２０との間のペアリングの流れについて説明する。前提として、携帯端末１０と時計２０とはペアリングモードであるものとする。また、時計２０はアドレス表示後、接続要求を受信するまでアドバタイズメントを送信しているものとする。
【００８３】
まず、時計２０の表示制御部２１１は、文字盤２１上にアドレスデータ表示を行う（図４（ａ）〜（ｌ）参照）。携帯端末１０の撮影部１５１は、この文字盤２１を撮影する。次に、携帯端末１０のアドレス取得部１５２は、文字盤２１上に表示されるアドレスデータを読み取って取得する。次に、携帯端末１０の接続要求送信部１５４は、取得したアドレスデータの時計２０に接続要求を送信し、接続確立部１５５は、時計２０との間で接続確立する。
【００８４】
接続確立後、時計２０は、文字盤２１上にペアリングキー表示を行う（図５（ａ）〜（ｆ）参照）。携帯端末１０の撮影部１５１は、この文字盤２１を撮影する。次に、携帯端末１０のアドレス取得部１５２は、文字盤２１上に表示されるペアリングキーを読み取って取得する。次に、携帯端末１０のペアリング部１５６は、取得したペアリングキーにより時計２０と相互認証を行って時計２０との間でペアリングを行う。
【００８５】
以上、本実施形態における通信装置２００を備えた時計２０によれば、文字盤２１上の複数の指針（分針２２、秒針２３、時針２４）が指す数字の組み合わせを、経時的に変化させて、アドレスデータをその文字盤２１上に表示する。そして、携帯端末１０は、そのアドレスデータを読み取ってそのアドレスデータの時計２０と自動で接続する。このため、時計がアドレスデータを含むパケットをアドバタイズメントする必要がなく、かつ、ユーザが端末画面上で複数の時計から接続先を選択する必要もない。このため、通信環境とユーザ操作に依らず、簡易かつ確実に携帯端末１０が接続対象の時計２０と接続することができる。
【００８６】
また、文字盤２１上の複数の指針によりアドレスデータを表示するので、非接触ＩＣを搭載する必要がなく、時計２０の肥大化を防ぐことができる。
【００８７】
また、この実施形態における通信装置２００を備えた時計２０によれば、分針（第１の指針）２２はアドレスデータ表示中かペアリングキー表示中かを示し、秒針（第２の指針）２３はアドレスデータの桁を示し、時針（第３の指針）２４はアドレスデータの値を示す。このため、アドレスデータ表示にあたって機械的な部材等を追加することなく、元々の時計２０の物理構成（文字盤２１上の複数の指針）を活かしたアドレスデータ表示ができる。
【００８８】
また、この実施形態における通信装置２００を備えた時計２０によれば、携帯端末１０と接続を確立後、文字盤２１上の複数の指針が指す数字の組み合わせを、経時的に変化させて、携帯端末１０とペアリングするためのペアリングキーをその文字盤２１上に表示するようにしている。そして、携帯端末１０は、そのペアリングキーを読み取ってそのペアリングキーにより時計２０とペアリングする。このため、時計２０がペアリングキー（ＰＩＮコード）を含むパケットをブロードキャストする必要がないので、通信環境に依らずにペアリングキーを確実にペアリング相手に伝達できる。また、ユーザが時計２０のペアリングキーを携帯端末１０に直接入力する必要がないので、ユーザ操作に依らず自動かつ簡易にペアリングを行うことができる。
【００８９】
以上で実施形態の説明を終了するが、上記実施形態は一例であり、携帯端末１０及び時計２０の具体的な構成や各処理の内容などが上記実施形態で説明したものに限られないことはもちろんである。
【００９０】
上述した実施形態では、各指針の役割として、第１の指針がアドレスデータ表示中かペアリングキー表示中かを示す分針２２、第２の指針がアドレスデータとペアリングキーの桁を示す秒針２３、第３の指針がアドレスデータとペアリングキーの値を示す時針２４であることを前提に説明したが、これに限られない。これら各指針の役割分担は、アドレスデータとペアリングキーが表示できる限り、相互に入れ替えてもよい。例えば、第１の指針を時針２４、第２の指針を分針２２、第３の指針を秒針２３にしてもよい。この場合、時針２４がアドレスデータ又はペアリングキーの一方を表示、分針２２が桁表示、秒針２３が値表示、とそれぞれなる。これによれば、複数の指針の役割を、指針の種別や形状（長さ、太さ）に応じて適宜決めることができるので、アドレスデータ・ペアリングキーの読み取りが容易となるような役割分担にすることができる。
【００９１】
また、上述した実施形態においては、アドレスデータ表示の場合「１２」時を、ペアリングキー表示の場合「６」時を、それぞれ指すようにしたが、これに限られない。指す数字は設計事項であり、適宜決めることができる。
【００９２】
また、上述した実施形態では、携帯端末１０はカメラ１３で動画撮影後に解析を行って時計２０のアドレスデータ及びペアリングキーを取得するようにしたが、これに限られない。例えば、携帯端末１０のアドレス取得部１５２は、ユーザが撮影中の動画に対してリアルタイムに解析を行ってもよい。これにより、撮影後にいったん保存された動画に対して解析を行うよりも、アドレスデータ及びペアリングキー取得にかかる時間を短縮することができる。また、撮影した動画を携帯端末１０の記憶部１４に記憶する必要がないので、記憶容量の少ないスマートフォンなどに好適である。
【００９３】
また、上述した実施形態において時計２０は、複数の指針によりアドレスデータ及びペアリングキー表示をしたが、これに限られない。例えば、時計２０の文字盤２１上において日付を示す日付窓の数字と、複数の指針が指す数字と、によりアドレスデータ表示をしてもよい。具体的には、桁表示を指針に代わって日付窓の数字（例えば、１桁なら１など）で行うことが考えられる。この場合、表示制御部２１１は、日付窓の数字を昇順で切り替えると共に、切り替えるタイミングで時針２４が桁の値が割り当てられた領域にくるように制御すればよい。
【００９４】
また、上述した実施形態では、複数の指針によりアドレスデータとペアリングキーを表示するようにしたが、これに限られない。複数の指針が指す数字の組み合わせで表示可能なものであればよく、例えば、センサ内蔵型の時計であればセンシング結果（脈拍、歩数、消費カロリーなど）が示す数値を複数の指針により表示してもよい。これにより、デジタル表示部を備えないアナログ時計が保持する数値情報を、複数の指針を用いて表示することができる。
【００９５】
また、上述した実施形態において、時計２０の文字盤２１上の複数の指針は物理的な機械部材であることを前提に説明したが、これに限られない。例えば、デジタル時計のデジタルの文字盤上におけるデジタル表示された複数の指針により、アドレスデータ表示を行っても構わない。これにより、アナログ時計に限らずデジタル時計でも複数の指針を用いたアドレスデータ表示を行うことができる。
【００９６】
また、時計２０は、ウェアラブルな腕時計であることを前提に説明したが、Bluetoothの機能を備えた置き時計や掛け時計にもこの実施形態によるアドレスデータ表示を適用してもよい。これにより、置き時計や掛け時計は携帯端末１０とペアリング後、携帯端末１０の持つＧＰＳ機能により適宜なタイミングで自動時刻補正を行うことができる。
また、携帯端末１０はスマートフォンであることを前提に説明したが、可搬型でBluetoothによる通信機能を備えていればよく、例えば、タブレット端末、携帯電話、ノートＰＣなどでもよい。
【００９７】
また、上述した実施形態においては、時計２０の各機能（表示制御部２１１、通信制御部２１２）は、制御部２１０の機能として説明した。つまり、制御部２１０を構成するＣＰＵが各機能を実行する場合を例とって説明したが、これに限られない。例えば、近距離無線通信部２１６を構成するＢＬＥのＬＳＩ（例えば、ＬＳＩが含むＣＰＵ）により、上記各機能を実行してもよい。これによれば、時計２０のメインのＣＰＵの処理負荷を抑えることができる。
また、上述した実施形態においては、通信装置２００が時計２０に内蔵される場合を例にとって説明したが、これに限られない。通信装置２００は、複数の指針を備えた装置であれば適用することができる。例えば、車やバイクの車載機器における通信モジュールとして適用することで、車両の情報をメータの複数の指針により表示することができる。例えば、室温、ガソリン残量、速度など、およそドライバーに有益な様々な情報を表示することができる。
【００９８】
また、本発明に係る通信装置２００は、専用の装置によらず、通常のコンピュータを用いて実現可能である。例えば、コンピュータがプログラムを実行することで、通信装置２００を実現してもよい。通信装置２００の機能を実現するためのプログラムは、ＵＳＢ（Universal Serial Bus）メモリ、ＣＤ−ＲＯＭ（Compact Disc Read Only Memory）、ＤＶＤ（Digital Video Disc）、ＨＤＤ（Hard Disk Drive）等のコンピュータ読み取り可能な記録媒体に記憶されてもよいし、ネットワークを介してコンピュータにダウンロードされてもよい。
【００９９】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【０１００】
（付記１）
複数の指針が指す数字の組み合わせを、経時的に変化させて、自装置を一意に識別するアドレスデータの表示を制御する表示制御手段と、
前記表示制御手段により表示制御されたアドレスデータを解読した他装置と接続制御する通信制御手段と、
を備えたことを特徴とする通信装置。
【０１０１】
（付記２）
前記表示制御手段は、前記複数の指針のうち、第１の指針を前記アドレスデータが表示中であることを示す所定数字の位置に、第２の指針を前記アドレスデータの桁を示す数字の位置に、第３の指針を前記アドレスデータの値が割り当てられた領域の位置に、それぞれ表示制御する、
ことを特徴とする付記１に記載の通信装置。
【０１０２】
（付記３）
前記表示制御手段は、前記第１の指針を前記所定数字の位置に固定した状態で、前記第２の指針の位置を前記アドレスデータの桁を示す数字の位置に昇順で変化させると同時に、前記第３の指針の位置を該アドレスデータの桁の値が割り当てられた領域に変化させる、
ことを特徴とする付記２に記載の通信装置。
【０１０３】
（付記４）
前記アドレスデータは、１２桁の１６進数であり、
前記１６進数の各値は、前記複数の指針の移動可能領域を１６等分した各領域それぞれに昇順で割り当てられる、
ことを特徴とする付記３に記載の通信装置。
【０１０４】
（付記５）
前記通信制御手段は、
前記アドレスデータを解読した他装置から送信される接続要求を受信する受信手段と、
前記受信手段が受信した接続要求に応じて、前記他装置と接続を確立する接続確立手段と、
を備える、
ことを特徴とする付記１乃至４の何れか一つに記載の通信装置。
【０１０５】
（付記６）
前記表示制御手段は、前記接続確立手段が前記他装置と接続を確立後、前記複数の指針が指す数字の組み合わせを、経時的に変化させて、該他装置とペアリングするためのペアリングキーの表示を制御する、
ことを特徴とする付記５に記載の通信装置。
【０１０６】
（付記７）
前記ペアリングキーは、６桁の１０進数であり、
前記１０進数の各値は、前記複数の指針の移動可能領域を１０等分した各領域それぞれに昇順に割り当てられ、
前記表示制御手段は、前記複数の指針のうち、第１の指針を前記ペアリングキーが表示中であることを示す前記所定数字と異なる数字の位置に固定した状態で、第２の指針の位置を前記ペアリングキーの桁を示す数字の位置に昇順で変化させると同時に、第３の指針の位置を該ペアリングキーの桁の値が割り当てられた領域に変化させる、
ことを特徴とする付記６に記載の通信装置。
【０１０７】
（付記８）
前記通信制御手段は、さらに、
前記ペアリングキーを取得した前記他装置との間でペアリングするペアリング手段を備える、
ことを特徴とする付記６又は７に記載の通信装置。
【０１０８】
（付記９）
前記他装置は、Bluetooth(登録商標)による無線通信機能を備えた携帯端末であり、
前記アドレスデータは、Bluetoothのデバイスアドレスであり、
前記通信制御手段は、前記複数の指針を撮影して前記デバイスアドレスを読み取った前記携帯端末と接続する、
ことを特徴とする付記１乃至８の何れか一つに記載の通信装置。
【０１０９】
（付記１０）
前記表示制御手段は、前記アドレスデータに加えて、センサによるセンシング結果が示す数値の表示制御を、前記複数の指針が指す数字の組み合わせを経時的に変化させて行う、
ことを特徴とする付記１乃至９の何れか一つに記載の通信装置。
【０１１０】
（付記１１）
付記１乃至１０の何れか一つに記載の通信装置を備えたことを特徴とする時計。
【０１１１】
（付記１２）
複数の指針が指す数字の組み合わせを、経時的に変化させて、自装置を一意に識別するアドレスデータの表示を制御する表示制御ステップと、
前記表示制御ステップにおいて表示制御されたアドレスデータを解読した他装置と接続制御する通信制御ステップと、
を備えたことを特徴とする通信方法。
【０１１２】
（付記１３）
時計の文字盤を撮影する撮影ステップと、
前記撮影ステップにおいて撮影した文字盤上の複数の指針が指す数字の組み合わせの経時的変化に基づき、前記時計を一意に識別するアドレスデータを解読して取得する取得ステップと、
前記取得ステップにおいて取得した前記アドレスデータの時計と接続する接続ステップと、
を備えたことを特徴とする通信方法。
【符号の説明】
【０１１３】
１０…携帯端末、１１…表示部、１２…操作部、１３…カメラ、１４…記憶部、１５，２１０…制御部、１６，２１６…近距離無線通信部、１７…無線通信部、１８，２７…スピーカ、２０…時計、２１…文字盤、２２…分針、２３…秒針、２４…時針、２５…リューズ、２６…ボタン、１５１…撮影部、１５２…アドレス取得部、１５３，２１２…通信制御部、１５４…接続要求送信部、１５５，２１４…接続確立部、１５６，２１５…ペアリング部、２００…通信装置、２１１…表示制御部、２１３…接続要求受信部
【図１】
0006606922.tif 000002
【図２】
0006606922.tif 000003
【図３】
0006606922.tif 000004
【図４】
0006606922.tif 000005
【図５】
0006606922.tif 000006
【図６】
0006606922.tif 000007
【図７】
0006606922.tif 000008
【図８】
0006606922.tif 000009
【図９】
0006606922.tif 000010
【図１０】
0006606922.tif 000011
【図１１】
0006606922.tif 000012